(57)【要約】【課題】イカ釣り時においてイカ角を効率よく投入することが出来るイカ角投入器の提供。【解決手段】下方板部１の上部縁２と軸着部３を介して上方板部４の下部縁５とを連結すると共に軸着部は下方板部を上方板部の裏面の方向にのみ回動するように形成し、上方板部には下方板部と同一の平面状となる接続平面部６と弯曲面部７を介して上方傾斜面部８を形成し、上方板部に備えた上方傾斜面部の裏面に道糸に装着した数個のイカ角を収納する並設した収納筒１１を取付け、更に下方板部と上方板部との折畳回動を阻止する阻止体１４を設け、下方板部の表面にイカ角を取付けた道糸を弾性挟持するコイル部１５を備えた絡み阻止用コイルスプリング体１６を備えて折畳みできるイカ角投入器体２０と船べリに着脱させるクランプ体１３より成ることを特徴としている。【選択図】図１
2008017786.tif 000002
【特許請求の範囲】
【請求項１】
下方板部１の上部縁２と軸着部３を介して上方板部４の下部縁５とを連結すると共に軸着部３は下方板部１を上方板部４の裏面の方向にのみ回動するように形成し、更に上方板部４には下方板部１と同一の平面状となる接続平面部６と弯曲面部７を介して上方傾斜面部８を形成し、且つ上方板部４に備えた上方傾斜面部８の裏面に道糸９に装着した数個のイカ角１０を収納する数個並設した収納筒１１を、その並設した収納筒１１の前後に設けて上方傾斜面部８に取付けた前取付板１２と後取付板５０で挟持して取付けると共に前取付板１２に船べリに取付けるクランプ体１３に着脱てきる着脱体１７を備え、更に軸着部３を介しての下方板部１と上方板部４との折畳回動を阻止する阻止体１４を設け、又更に下方板部１の表面にイカ角１０を取付けた道糸９を弾性挟持するコイル部１５を備えた絡み阻止用コイルスプリング体１６を備え、且又収納筒１１の下方に上下昇降を行うことができる調節柱体５１を設け、該調節柱体５１はイカ角磁着用の磁性体３２を頂部に備えると共に収納筒１１に設けた数段の係止孔部５２に係止する係止突片５３を介して収納筒１１内の調節柱体５１を上下に調節することができるようにして形成した折畳可能なイカ角投入器体２０と軸着部３を介して下方板部１を広げてイカ角投入器体２０を着脱できるクランプ体１３より成ることを特徴とするイカ角投入器。
【請求項２】
イカ角投入器体２０を船べリに着脱させるクランプ体１３は、船べリに載置される載置体２１とで船べリを挟着する圧着頭部３９を備えると共に下方にハンドル部３８を有した螺杆２６を装着した螺孔２７を一方端に設けた調節杆２８を有し、該調節杆２８の他方端に調節杆２８を上下に摺動すると共に停止する摺動挿通孔２９に挿通した案内杆３０を設け、更に載置体２１の後方上部に弾性体２２に装着すると共に載置体２１は後方下部に案内杆３０を取付け、更に載置体２１は弾性体２２の前方に位置して断面凹字状窪み部２３を形成した案内両壁面２４，２４を両側に設けると共に後方軸杆部２５を介して回動する回動体部１８を断面凹字状窪み部２３内に収納し、且つ回動体部１８の下面に回動調節杆体５４を設け、又回動体部１８の前方には斜め上方に指向した角状突出体１９を設けると共に該角状突出体１９にはイカ角投入器体２０を着脱できる着脱体１７の固定用締付体３１を備えて形成したものであり、
又更にクランプ体１３にイカ角投入器体２０を着脱できる着脱体１７は、クランプ体１３に備えた角状突出体１９に外嵌する角状筒体４０に形成し、更に角状筒体４０は前取付板１２に取付けた取付体４１，４１を介して回動自在に軸杆４９を介して軸着し、且角状筒体４０は角状突出体１９への外嵌時に回動体部１８に備えた固定用締付体３１で固定取付けるように形成したことを特徴とする請求項１記載のイカ角投入器。
【請求項３】
軸着部３を介しての下方板部１と上方板部４との折畳回動を阻止する阻止体１４は、接続平面部６の背面に取付板体３３を取付け、更に取付板体３３に取付回動軸部３４を介して下方に回動する阻止板片３５を取付け、その阻止板片３５は接続平面部６の背面に当接すると共に軸着部３を介して下方板部１と上方板部４との接続平面部６が平面状に形成された際は阻止板片３５は自動的に下方に落下回動して阻止板片３５の先端部３６が下方板部１の背面に当接するように形成したことを特徴とする請求項１又は請求項２記載のイカ角投入器。
【請求項４】
上方板部４の表面にスポンジ板体３７を貼着したことを特徴とする請求項１又は請求項２又は請求項３記載のイカ角投入器。
【発明の詳細な説明】
【技術分野】
【０００１】
この発明は、携帯が容易であると共にイカ釣り時において釣り船への装着が簡便であると共にイカ角を効率よく投入することが出来るイカ角投入器に関するものである。
【背景技術】
【０００２】
従来、イカ釣船の船ベリに取付けることが出来るイカ角投入器で色々各種各様の構成を備えた多くのものが知られている。
【０００３】
ところで、このイカ角投入器を釣り船に取付けるまでの携帯が嵩さ張って不便であると共に船ベリに簡単迅速に取付けることが出来ず、更にイカ角を取付けた道糸が絡まってイカ角を円滑に効率よく投入することが出来ない等の欠点があった。
【０００４】
よって、イカ釣りを楽しむ一般の人々が携帯が容易であり、更に船ベリに取付けることが簡便に出来るイカ角投入器を安価に提供することは極めて無理なことである。
【特許文献１】特開２００５−１４３４８６号公報
【発明の開示】
【発明が解決しようとする課題】
【０００５】
この発明は上記の問題点を解決したもので、イカ釣り時にイカ角を効率よく投入することが出来るイカ角投入器に関するもので、イカ角投入器を船に取付ける前の携帯が嵩さ張って不便であると共に船ベリに簡単迅速に取付けることが出来ず、更にイカ角を取付けた道糸が絡まってイカ角を円滑に効率よく投入することが出来ないと共に船の揺れ、又は強風によるイカ角がイカ角投入器より妄りに外れる等の欠点を除去し、イカ釣りを楽しむ一般の人々が携帯が容易であり、更に船ベリに取付けることが簡便に出来ると共に道糸が絡まることがない使用上極めて好適なイカ角投入器を安価に提供することを目的としたものである。
【課題を解決するための手段】
【０００６】
上記の目的を達成するためこの発明は、下方板部１の上部縁２と軸着部３を介して上方板部４の下部縁５とを連結すると共に軸着部３は下方板部１を上方板部４の裏面の方向にのみ回動するように形成し、更に上方板部４には下方板部１と同一の平面状となる接続平面部６と弯曲面部７を介して上方傾斜面部８を形成し、且つ上方板部４に備えた上方傾斜面部８の裏面に道糸９に装着した数個のイカ角１０を収納する数個並設した収納筒１１を、その並設した収納筒１１の前後に設けて上方傾斜面部８に取付けた前取付板１２と後取付板５０で挟持して取付けると共に前取付板１２に船べリに取付けるクランプ体１３に着脱てきる着脱体１７を備え、更に軸着部３を介しての下方板部１と上方板部４との折畳回動を阻止する阻止体１４を設け、又更に下方板部１の表面にイカ角１０を取付けた道糸９を弾性挟持するコイル部１５を備えた絡み阻止用コイルスプリング体１６を備え、且又収納筒１１の下方に上下昇降を行うことができる調節柱体５１を設け、該調節柱体５１はイカ角磁着用の磁性体３２を頂部に備えると共に収納筒１１に設けた数段の係止孔部５２に係止する係止突片５３を介して収納筒１１内の調節柱体５１を上下に調節することができるようにして形成した折畳可能なイカ角投入器体２０と軸着部３を介して下方板部１を広げてイカ角投入器体２０を着脱できるクランプ体１３より成るものである。
【０００７】
又、イカ角投入器体２０を船べリに着脱させるクランプ体１３は、船べリに載置される載置体２１とで船べリを挟着する圧着頭部３９を備えると共に下方にハンドル部３８を有した螺杆２６を装着した螺孔２７を一方端に設けた調節杆２８を有し、該調節杆２８の他方端に調節杆２８を上下に摺動すると共に停止する摺動挿通孔２９に挿通した案内杆３０を設け、更に載置体２１の後方上部に弾性体２２に装着すると共に載置体２１は後方下部に案内杆３０を取付け、更に載置体２１は弾性体２２の前方に位置して断面凹字状窪み部２３を形成した案内両壁面２４，２４を両側に設けると共に後方軸杆部２５を介して回動する回動体部１８を断面凹字状窪み部２３内に収納し、且つ回動体部１８の下面に回動調節杆体５４を設け、又回動体部１８の前方には斜め上方に指向した角状突出体１９を設けると共に該角状突出体１９にはイカ角投入器体２０を着脱できる着脱体１７の固定用締付体３１を備えて形成したものであり、
又更にクランプ体１３にイカ角投入器体２０を着脱できる着脱体１７は、クランプ体１３に備えた角状突出体１９に外嵌する角状筒体４０に形成し、更に角状筒体４０は前取付板１２に取付けた取付体４１，４１を介して回動自在に軸杆４９を介して軸着し、且角状筒体４０は角状突出体１９への外嵌時に回動体部１８に備えた固定用締付体３１で固定取付けるように形成したものである。
【０００８】
又、軸着部３を介しての下方板部１と上方板部４との折畳回動を阻止する阻止体１３は、接続平面部６の背面に取付板体３３を取付け、更に取付板体３３に取付回動軸部３４を介して回動する阻止板片３５を取付け、その阻止板片３５は接続平面部６の背面に当接すると共に軸着部３を介して下方板部１と上方板部４との接続平面部６が平面状に形成された際は阻止板片３５は自動的に下方に回動して阻止板片３５の先端部３６が下方板部１の背面に当接するように形成したものである。
【０００９】
又、上方板部４の表面にスポンジ板体３７を貼着したものである。
【発明の効果】
【００１０】
この発明は以上のような構成であり、下方板部１の上部縁２と軸着部３を介して上方板部４の下部縁５とを連結すると共に軸着部３は下方板部１を上方板部４の裏面の方向にのみ回動するように形成し、更に上方板部４には下方板部１と同一の平面状となる接続平面部６と弯曲面部７を介して上方傾斜面部８を形成し、且つ上方板部４に備えた上方傾斜面部８の裏面に道糸９に装着した数個のイカ角１０を収納する数個並設した収納筒１１を、その並設した収納筒１１の前後に設けて上方傾斜面部８に取付けた前取付板１２と後取付板５０で挟持して取付けると共に前取付板１２に船べリに取付けるクランプ体１３に着脱てきる着脱体１７を備え、更に軸着部３を介しての下方板部１と上方板部４との折畳回動を阻止する阻止体１４を設け、又更に下方板部１の表面にイカ角１０を取付けた道糸９を弾性挟持するコイル部１５を備えた絡み阻止用コイルスプリング体１６を備え、且又収納筒１１の下方に上下昇降を行うことができる調節柱体５１を設け、該調節柱体５１はイカ角磁着用の磁性体２２を頂部に備えると共に収納筒１１に設けた数段の係止孔部５２に係止する係止突片５３を介して収納筒１１内の調節柱体５１を上下に調節することができるようにして形成した折畳可能なイカ角投入器体２０と軸着部３を介して下方板部１を広げてイカ角投入器体２０を着脱できるクランプ体１３より成ることによってイカ釣りを楽しむ人々は折畳んで嵩さ張ることなくイカ角投入器体５６は図２に図示したように小型に折畳んで持ち運ぶことができると共に釣り船に対する取付けもイカ角投入器体２０と分離して携帯したクランプ体１３を介して図３に図示したように簡単に取付けられるものであり、使用上極めて好適である。
【００１１】
又、下方板部１の表面にイカ角１０を取付けた道糸９を弾性挟持するコイル部１５を備えた絡み阻止用コイルスプリング体１６を備えたことで、この発明のイカ角投入器に対するイカ角１０の装着は吊り竿４４に取付けた電動リール４３で巻き込まれる幹糸４５の先端に連結部５５を介して取付けた道糸９に順次枝糸４６を介して取付けた数個のイカ角１０を順次収納筒１１内に図４に図示したように収納し一方のイカ角１０と他方のイカ角１０との間に介在する道糸９を図３に図示したようにに手先で曲げると共にこのＵ字状の部分がコイル部１５の下方に位置するようにして平行したう２本の道糸９の夫々をやや離した状態で互いに弾着しているコイル部１５間に挿入挟持させると共にイカ角１０を順次収納筒１１内に収納することで道糸９が絡むことなくイカ角１０を順次簡便で安定よく収納筒１１内に収納することができるものであり、そこで、道糸９の最先端に取付けた重り４７を海中に投げ込めばイカ角１０を取付けた道糸９はコイル部１５より順次自動的に離れながらイカ角１０を順次収納筒１１内より引き出して、道糸９が絡むことなく海中に安定よく円滑に誘導されるものである。即ち、道糸９が絡むことを阻止する手段としては下方板部１の表面にイカ角１０を取付けた道糸を弾性を有して挟持するコイル部１５を備えた絡み阻止用コイルスプリング体１６を取付けた極めて簡単な構成であるので複雑な構成を必要とせず安価に提供することができ、更にイカ角１０とイカ角との間の道糸９を手先でＵ字状に曲げながな絡み阻止用コイルスプリング体１６の弾性挟持するコイル部１５の下方より引っ掛ける極めて簡単な操作で道糸９の絡みを阻止するので取り扱いが極めて容易である。
【００１２】
又、イカ角投入器体２０を船べリ４２に着脱させるクランプ体１３は、船べリに載置される載置体２１とで船べリ４２を挟着する圧着頭部３９を備えると共に下方にハンドル部３８を有した螺杆２６を装着した螺孔２７を一方端に設けた調節杆２８を有し、該調節杆２８の他方端に調節杆２８を上下に摺動すると共に停止する摺動挿通孔２９に挿通した案内杆３０を設けたことによってハンドル部３８の回動してクランプ体１３を簡単に船べリ４２に固定することができるものである。
【００１３】
又、載置体２１の後方上部に弾性体２２に装着すると共に載置体２１は後方上部に案内杆３０を取付け、更に載置体２１は弾性体２２の前方に位置して断面凹字状窪み部２３を形成した案内両壁面２４，２４を両側に設けると共に後方軸杆部２５を介して回動する回動体部１８を断面凹字状窪み部２３内に収納し、且つ回動体部１８の下面に回動調節杆体５４を設け、又回動体部１８の前方には斜め上方に指向した角状突出体１９を設けると共に該角状突出体１９にはイカ角投入器体２０を着脱できる着脱体１７の固定用締付体３１を備えて成り、又更にクランプ体１３にイカ角投入器体２０を着脱できる着脱体１７は、クランプ体１３に備えた角状突出体１９に外嵌する角状筒体４０に形成し、更に角状筒体４０は前取付板１２に取付けた取付体４１，４１を介して回動自在に軸杆４９を介して軸着し、且角状筒体４０は角状突出体１９への外嵌時に角状突出体１９に備えた固定用締付体５６で固定取付けるように形成したことによって船べリ４２に取付けたクランプ体１３へのイカ角投入器体２０の取付け時はイカ角投入器体２０の下方板部１を広げると共にクランプ体１３に設けた角状突出体１９に角状筒体４０を外嵌するのみの簡単な操作で船べリ４２に取付けたクランプ体１３にイカ角投入器体２０を容易に取付けることができるものである。
【００１４】
又、収納筒１１の下方に上下昇降を行うことができる調節柱体５１を設け、該調節柱体５１は収納筒１１に設けた数段の係止孔部５２に係止する係止突片５３を介して収納筒１１内の調節柱体５１を上下に調節することができるようにして形成したことによって寸法を異にしたイカ角１０を夫々の収納筒１１に収納することができてイカ角の長さの種類に応じたイカ角１０を収納することができて異なったイカの釣り上げを楽しむことができるものである。
【００１５】
又、船の揺れ、又は強風等によるがイカ角投入器の収納筒１１より外れてイカ角を円滑に海中に投入することができないことがあるが、イカ角１０先端は金属で形成されているものであり、夫々の収納筒１１に収納した調節柱体５１はイカ角磁着用の磁性体３２を頂部に備えているので船の揺れ、又は強風等によるがイカ角投入器体２０に備えた収納筒１１より妄りに外れてイカ角を取付けた道糸９が絡まってイカ角１０を円滑に効率よく海中に投入することが出来ない等の欠点を解決したものである。
【００１６】
又、クランプ体１３に備えた回動体部１８の下面に回動調節杆体５４を設けて回動体部１８の前方には斜め上方に指向した角状突出体１９を設けて回動調節杆体５４の回動調節操作により、角状突出体１９の傾斜角度を調節できるようにしたので角状突出体１９を介して取付けられたイカ角投入器体２０に備えた収納筒１１の傾斜角度を調節保持することができて例えばイカ釣り船とイカ角１０の海中への投入位置の関係を調節できるものである。
【００１７】
又、クランプ体１３には、回動体部１８の前方には斜め上方に指向した角状突出体１９を設けると共に該角状突出体１９にはイカ角投入器体２０を着脱できる着脱体１７の固定用締付体３１を備えたことにより固定用締付体３１の締付固定によりクランプ体１３とイカ角投入器体２０とが妄りに外れることがなく安全に使用できるものである。
【００１８】
又、クランプ体１３には、載置体２１の後方上部に弾性体２２に装着したので、クランプ体１３にイカ角投入器体２０を取付けた際に収納筒１１と載置体２１とが直接接触して船の揺動によって収納筒１１が損傷することなく安全で安定よく使用できるものである。
【００１９】
又、軸着部３を介して下方板部１と上方板部４との折畳回動を阻止する阻止体１３は、接続平面部６の背面に取付板体３３を取付け、更に取付板体３３に取付回動軸部３４を介して回動する阻止板片３５を取付け、その阻止板片３５は接続平面部６の背面にのみに当接すると共に軸着部３を介して下方板部１と上方板部４との接続平面部６が平面状に形成された際は阻止板片３５は自動的に下方に回動して阻止板片３５の先端部３６が下方板部１の背面に当接するように形成したので、イカ角投入器体２０を船ベリ４２に着脱具１３を介して取付ける際に下方板部１が自動的に下方に回動するに伴い阻止板片３５が自動的に下方に回動して下方板部１が揺動することなく、安定よく取付けられるものであり、更に使用後に折畳む際は阻止板片３５を接続平面部６の背面に回動すれば下方板部１は折畳むことが出来るものである。
即ち、イカ角投入器体２０を船ベリ４２に取付ける操作を行う組立て時に阻止板片３５が自動的に下方に回動して下方板部１の揺動を阻止するのでイカ角投入器体２０の組立て工作を極めて容易に行うことが出来るものである。
【００２０】
又、上方板部４との表面にスポンジ板体３７を貼着したものであるのでイカ角１０をスポンジ板体３７に係止させながら、操作を行うことが出来て安全にイカ角１０を保持させることができるので、数個のイカ角１０の夫々を隣接した他の収納筒１１に収納させる操作時、またはイカを釣り上げた操作時に他のイカ角１０をスポンジ板体３７に係止させることで、道糸９の絡み、又はイカ角１０による予期しない手先の怪我を阻止して安全な操作を行うことができるもので使用便利である。
【００２１】
以上のようにこの発明は、イカ釣り時においてイカ角投入器体２０を船ベリ４２に取付けることができると共にイカ角１０を効率よく海中に投入することが出来るイカ角投入器に関するもので、イカ角投入器体２０を船ベリ４２にに取付ける前の携帯が嵩さ張って不便であると共に船ベリに簡単迅速に取付けることが出来ず、更にイカ角を取付けた道糸が絡まってイカ角を円滑に効率よく投入することが出来ないと共に船の揺れ、又は強風によるイカ角がイカ角投入器より妄りに外れる等の欠点を除去し、イカ釣りを楽しむ一般の人々が携帯が容易であり、更に船ベリに取付けることが簡便に出来ると共にイカ角１０で手先を怪我する等のおそれがなく使用上極めて好適なイカ角投入器を安価に得ることができるようにした優れた効果を奏するものである。
【発明を実施するための最良の形態】
【００２２】
以下、この発明の実施の形態を図１〜図９に基いて説明する。
【実施例１】
【００２３】
この発明は、下方板部１の上部縁２と軸着部３を介して上方板部４の下部縁５とを連結すると共に軸着部３は下方板部１を上方板部４の裏面の方向にのみ回動するように形成し、更に上方板部４には下方板部１と同一の平面状となる接続平面部６と弯曲面部７を介して上方傾斜面部８を形成し、且つ上方板部４に備えた上方傾斜面部８の裏面に道糸９に装着した数個のイカ角１０を収納する数個並設した収納筒１１を、その並設した収納筒１１の前後に設けて上方傾斜面部８に取付けた前取付板１２と後取付板５０で挟持して取付けると共に前取付板１２に船べリに取付けるクランプ体１３に着脱てきる着脱体１７を備え、更に軸着部３を介しての下方板部１と上方板部４との折畳回動を阻止する阻止体１４を設け、又更に下方板部１の表面にイカ角１０を取付けた道糸９を弾性挟持するコイル部１５を備えた絡み阻止用コイルスプリング体１６を備え、該絡み阻止用コイルスプリング体１６は下方板部１に対する取付位置を取付ネジ部６５を介して着脱させ変えることができるものであり、そのことはイカ角１０と別のイカ角１０との間の長さを調節するものであり（図１、図２、図３、図６参照）、且又収納筒１１の下方に上下昇降を行うことができる調節柱体５１を設け、該調節柱体５１はイカ角磁着用の磁性体３２を頂部に備えると共に収納筒１１に設けた数段の係止孔部５２に係止する係止突片５３を介して収納筒１１内の調節柱体５１を上下に調節することができるようにして形成した折畳可能なイカ角投入器体２０と軸着部３を介して下方板部１を広げてイカ角投入器体２０を着脱できるクランプ体１３より成るものであり、イカ角投入器体２０は図２に図示したように折畳むことができるものであるが、イカ釣り時は図１，図３に図示したように広げて使用するものである。
【００２４】
又、イカ角投入器体２０を船べリに着脱させるクランプ体１３は、船べリに載置される載置体２１とで船べリを挟着する圧着頭部３９を備えると共に下方にハンドル部３８を有した螺杆２６を装着した螺孔２７を一方端に設けた調節杆２８を有し、該調節杆２８の他方端に調節杆２８を上下に摺動すると共に停止する摺動挿通孔２９に挿通した案内杆３０を設け、更に載置体２１の後方上部に弾性体２２に装着すると共に載置体２１は後方上部に案内杆３０を取付け、更に載置体２１は弾性体２２の前方に位置して断面凹字状窪み部２３を形成した案内両壁面２４，２４を両側に設けると共に後方軸杆部２５を介して回動する回動体部１８を断面凹字状窪み部２３内に収納し、且つ回動体部１８の下面に回動調節杆体５４を設け、又回動体部１８の前方には斜め上方に指向した角状突出体１９を設けると共に該角状突出体１９にはイカ角投入器体２０を着脱できる着脱体１７の固定用締付体３１を備えて形成したものでああるが、回動体部１８の下面に設けた回動調節杆体５４を図８、図９において説明するに回動調節杆体５４は指先で摘んで回動することができる回動盤部５７と回動体部１８の下面より設けた螺孔５８に螺入した螺杆部５９とより成り、イカ角投入器体２０を取付ける前に螺杆２５を支点として角状突出体１９が上方に位置するように回動すれば断面凹字状窪み部２３内より回動盤部５７が現れるものであり、回動盤部５７の回動が容易にできるもので螺孔５８に螺入した螺杆部５９の出入で回動体部１８に設けたた角状突出体１９の傾斜角度を調節することができるもので、イカ角投入器体２０に備えた収納筒１１の角度を調節することができるものである．
【００２５】
又クランプ体１３にイカ角投入器体２０を着脱できる着脱体１７は、クランプ体１３に備えた角状突出体１９に外嵌する角状筒体４０に形成し、更に角状筒体４０は前取付板１２に取付けた取付体４１，４１を介して回動自在に軸杆４９を介して軸着し、且角状筒体４０は角状突出体１９への外嵌時に角状突出体１９に備えた固定用締付体３１で固定取付けるように形成したものであるが、固定用締付体３１を図８、図９において説明するに回動体部１８に固定板体６１を軸部６０を介して取付け、該固定板体６１に取付けた固定回動盤６２に固定螺杆６３を回動自在に取付けると共に固定螺杆６３は角状筒体４０の挿入締付孔６４に挿通され角状突出体１９に設けた締付螺孔５６に螺着されて角状突出体１９へ外嵌した角状筒体４０が妄りに外れることなく釣り操作時のクランプ体１３にイカ角投入器体２０が取付けられ安全で事故の恐れがないイカ釣りを楽しむことが出来るものである。
【００２６】
又、軸着部３を介しての下方板部１と上方板部４との折畳回動を阻止する阻止体１３は、接続平面部６の背面に取付板体３３を取付け、更に取付板体３３に取付回動軸部３４を介して回動する阻止板片３５を取付け、その阻止板片３５は接続平面部６の背面に当接すると共に軸着部３を介して下方板部１と上方板部４との接続平面部６が平面状に形成された際は阻止板片３５は自動的に下方に回動して阻止板片３５の先端部３６が下方板部１の背面に当接するように形成したものである。
【００２７】
又、上方板部４との表面にスポンジ板体３７を貼着したもので、このスポンジ板体３７にイカ角１０を係止させて道糸９に取付けたイカ角１０が妄りに動かないようにしたものである。
【図面の簡単な説明】
【００２８】
【図１】組立てた状態を示した背面斜視図である。
【図２】イカ角投入器体の折畳んだ状態を示した斜視図である。
【図３】船ベリに取付けて使用状態を示した斜視図である。
【図４】収納筒を取付けた状態を示した一部切欠正面図である。
【図５】収納筒の一部断面図である。
【図６】上方板部と下方板部の関係を示した一部切欠の背面正面図である。
【図７】上方板部と下方板部の関係を示した一部切欠の側面図である。
【図８】クランプ体を船ベリに取付けてた状態とイカ角投入器体の関係を示した一部切欠の側面図である。
【図９】クランプ体とイカ角投入器体の関係を示した一部切欠の側面図である。
【符号の説明】
【００２９】
１  下方板部
２  上部縁
３  軸着部
４  上方板部
５  下部縁
６  接続平面部
７  弯曲面部
８  上方傾斜面部
９  道糸
１０  イカ角
１１  収納筒
１２  前取付板
１３  クランプ体
１４  阻止体
１５  コイル部
１６  絡み阻止用コイルスプリング体
１７  着脱体
１８  回動体部
１９  角状突出体
２０  イカ角投入器体
２１  載置体
２２  弾性体
２３  断面凹字状窪み部
２４  案内両壁面
２５  後方軸杆部
２６  螺杆
２７  螺孔
２８  調節杆
２９  摺動挿通孔
３０  案内杆
３１  固定用締付体
３２  両側壁面
３３  取付板体
３４  取付回動軸部
３５  阻止板片
３６  先端部
３７  スポンジ板体
３８  ハンドル部
３９  圧着頭部
４０  角状筒体
４１  取付体
４２  船ベリ
４３  電動リール
４４  吊り竿
４５  幹糸
４６  枝糸
４７  重り
４８  磁性体
４９  軸杆
５０  後取付板
５１  調節柱体
５２  係止孔部
５３  係止突片
５４  回動調節杆体
５５  連結部
５６  締付螺孔
５７  回動盤部
５８  螺孔
５９  螺杆部
６０  軸部
６１  固定板体
６２  固定回動盤
６３  固定螺杆
６４  挿入締付孔
６５  取付ネジ部
【図１】
2008017786.tif 000003
【図２】
2008017786.tif 000004
【図３】
2008017786.tif 000005
【図４】
2008017786.tif 000006
【図５】
2008017786.tif 000007
【図６】
2008017786.tif 000008
【図７】
2008017786.tif 000009
【図８】
2008017786.tif 000010
【図９】
2008017786.tif 000011